(57)【要約】【課題】バス電極が互いに非常に接近したプラズマディスプレイ表示装置では、流れる電流により作られる磁界で、インダクタンス成分が大きく、電流の時間変化や電流値そのものが増加して駆動回路にとっては大きな負担となっていた。【解決手段】近接した電極構造をもつプラズマディスプレイパネルを供えたプラズマディスプレイ表示装置は、駆動回路をプラズマディスプレイパネルの片側のみに配置し、大電流であり高速のパルス電流を近接した電極同士を逆方向に流し、発生磁界を打消すことを特徴とする。【選択図】図２
2007264239.tif 000002
【特許請求の範囲】
【請求項１】
近接したバス電極構造をもつプラズマディスプレイパネルを備えたプラズマディスプレイ表示装置において、
前記プラズマディスプレイパネルの片側のみに配置された駆動回路が、前記プラズマディスプレイパネルの前記近接したバス電極の一方の電極に電流を流し込み、且つ、前記近接したバス電極の他方の電極から電流を引き込む動作を、前記一方の電極と前記他方の電極を変更して繰り返すことを特徴とするプラズマディスプレイ表示装置。
【請求項２】
請求項１に記載のプラズマディスプレイ表示装置において、
前記駆動回路は、スキャン回路とサステイン回路と電力回収回路とを備えており、前記一方の電極にサステイン回路が接続され、前記他方の電極にスキャン回路とサステイン回路が接続され、前記一方の電極と他方の電極に共用の電力回収回路が接続されていることを特徴とするプラズマディスプレイ表示装置。
【請求項３】
請求項１に記載のプラズマディスプレイ表示装置において、
前記駆動回路は、スキャン回路とサステイン回路と電力回収回路とを備えており、前記一方の電極にサステイン回路と電力回収回路が接続され、前記他方の電極にスキャン回路とサステイン回路と電力回収回路が接続されていることを特徴とするプラズマディスプレイ表示装置。
【請求項４】
請求項１に記載のプラズマディスプレイ表示装置において、
前記プラズマディスプレイパネルの前記近接したバス電極と前記駆動回路の接続は、前記近接したバス電極側の電極接続部と前記駆動回路とが接続治具により接続されることを特徴とするプラズマディスプレイ表示装置。
【請求項５】
請求項１に記載のプラズマディスプレイ表示装置において、
前記プラズマディスプレイパネルの前記近接したバス電極と前記駆動回路とは、表示電極接続シート上に形成された表示電極接続パターンと、スキャン電極接続シート上に形成されたスキャン電極接続パターンとを介して接続されることを特徴とするプラズマディスプレイ表示装置。
【請求項６】
請求項１に記載のプラズマディスプレイ表示装置において、
前記プラズマディスプレイパネルの前記近接したバス電極と前記駆動回路とは、
上面に表示電極接続パターンが形成されたスキャン電極接続シートと、下面に表示電極接続パターンが形成された表示電極接続シートとが重ねて配置された電極接続部を介して接続される接続されることを特徴とするプラズマディスプレイ表示装置。
【請求項７】
請求項１に記載のプラズマディスプレイ表示装置において、
前記プラズマディスプレイパネルの前記近接したバス電極と前記駆動回路とが接続され、前記駆動回路は、回路配線が回路基板をはさんで近接配置されていることを特徴とするプラズマディスプレイ表示装置。
【請求項８】
近接したバス電極構造をもつプラズマディスプレイパネルを備えたプラズマディスプレイ表示装置の駆動方法において、
前記プラズマディスプレイパネルの前記近接したバス電極の一方の電極に電流を流し込み、且つ、前記近接したバス電極の他方の電極から電流を引き込む動作を、前記一方の電極と前記他方の電極を変更して繰り返すことを特徴とするプラズマディスプレイ表示装置の駆動方法。
【請求項９】
請求項８記載のプラズマディスプレイ表示装置の駆動方法において、
前記近接したバス電極の一方の電極が表示バス電極であり、他方の電極がスキャンバス電極であることを特徴とするプラズマディスプレイ表示装置の駆動方法。
【発明の詳細な説明】
【技術分野】
【０００１】
本発明は、プラズマディスプレイ表示装置及び駆動方法に関し、特に、低インダクタンス実装法を適用した新構造の高効率プラズマディスプレイ表示装置及び駆動方法に関する。
【背景技術】
【０００２】
従来のプラズマディスプレイ表示装置では、プラズマディスプレイパネル（ＰＤＰ）の両端にサステイン回路を含む駆動回路が設けられており、駆動電流を交互に流し込み、引き込む動作を繰り返して発光放電を行う。
【０００３】
図８は従来の一般的な交流（ＡＣ）型プラズマディスプレイパネル（ＰＤＰ）の構造図を示す。図８に示されるＰＤＰ１００では、表示バス電極８とスキャンバス電極９のバス極同士が離れており、それぞれのバス電極８，９に電気的に接続された透明電極９ａのギャップ間で発光放電が生じている。また、図９は従来のＰＤＰに対する駆動回路の接続形態を示す。ある周期では、表示バス電極８から一点鎖線の矢印で示すように電流が流れ込み電極間で放電し、その電流がスキャンバス電極９を通ってサステイン回路１２に流れ込む。また、次のタイミングでは、スキャンバス電極９から実線の矢印で示すように電流が流れ込み、バス電極８，９に接続された透明電極９ａのギャップで放電し、表示バス電極８を通してサステイン回路に流れ込む。これを交互に繰り返し、発光する。
【０００４】
従来の接続形態におけるパネル内の電流の流れは、周期ごとに逆転はするものの、ある瞬間で見ると電流は同一方向に流れている。従来のプラズマディスプレイ表示装置では、バス電極間では、方向性が１方向であり、電流による発生磁界の打消し効果が無いどころか磁界が相互に加算され、増加するように作用する。時間変化のある電流で磁界が増加することは、電磁気学的にはインダクタンスが増加することになり、回路にとっては負担が増加する。電流の時間変化が大きくなる場合とか、電流値そのものが増加する場合は、なおのこと、駆動回路にとっては大きな負担となっていた。
【０００５】
一方、現在開発中の新構造のプラズマディスプレイ表示装置では、プラズマディスプレイパネルのバス電極（電極の電気抵抗値を下げるために、金属粒子（主に銀粒子）や銅の薄膜で作ったもの）が従来構造に対し、お互いに非常に接近しており、流れる電流により作られる磁界で、インダクタンス成分が大きいという特徴があった。
【発明の開示】
【発明が解決しようとする課題】
【０００６】
従来の接続形態におけるパネル内の電流の流れは、周期ごとに逆転はするものの、ある瞬間で見ると電流は同一方向に流れており、バス電極間では、方向性が１方向であり、電流による発生磁界の打消し効果が無いどころか磁界が相互に加算され、増加するように作用する。時間変化のある電流で磁界が増加することは、電磁気学的にはインダクタンスが増加することになり、回路にとっては負担が増加する。電流の時間変化が大きくなる場合とか、電流値そのものが増加する場合は、なおのこと、駆動回路にとっては大きな負担となっていた。
【０００７】
更に、現在開発中の新構造のプラズマディスプレイ表示装置では、プラズマディスプレイパネルのバス電極（電極の電気抵抗値を下げるために、金属粒子（主に銀粒子）や銅の薄膜で作ったもの）が従来構造に対し、お互いに非常に接近しており、流れる電流により作られる磁界で、インダクタンス成分が大きく、電流の時間変化や電流値そのものが増加して駆動回路にとっては大きな負担となっていた。特に、１００Ａ以上の高速パルス電流で駆動する新構造の交流（ＡＣ）型ディスプレイにとって、大きなインダクタンス成分は駆動の障害となるだけでなく、ノイズ発生源ともなり、大きな問題点となっていた。
【０００８】
接近した２つの電極同士に反対方向の電流を流すことで、発生磁界を打消すことが出来ることは、電磁気学でよく知られたことである。本発明の目的は、大きなインダクタンスを有する新パネル構造の課題に対し、この原理を応用し、電極で生じるインダクタンス成分を見かけ上打消す構造を有する駆動装置を提供することである。
【課題を解決するための手段】
【０００９】
本発明のプラズマディスプレイ表示装置は、近接した電極構造をもつプラズマディスプレイパネルの構造において、大電流であり高速のパルス電流をそのきわめて近接した電極同士を逆方向に流し、発生磁界を打消すことを特徴とする。
【発明の効果】
【００１０】
本発明によれば、大きなインダクタンス成分による駆動の障害を除去し、ノイズ発生を防止することができる
【発明を実施するための最良の形態】
【００１１】
以下、図面を用いて、本発明の実施の形態について説明する。
【実施例１】
【００１２】
図１は、本発明の実施例１のプラズマディスプレイパネルの構造を示す。図１において、１ｂは前面板、１ａは背面板、２は誘電体、３は保護膜、４はアドレス電極、５は蛍光体、６は横リブ、７は縦リブ、８は表示バス電極、９はスキャンバス電極を示す。サステイン（表示）用バス電極、即ち、表示バス電極とスキャンバス電極９の間隔が従来構造に比べ接近している（放電ギャップと同レベル）。このため、駆動回路から見て電極間のインダクタンスが大きい。インダクタンスが大きい負荷は、大電流（パネル全体で１００Ａ以上のピーク電流）で高速（１μｓ程度）のパルス電流を流す場合、大きな障害となる。
【００１３】
図１に示されたバス電極の間隔が従来構造に比べ接近しているプラズマディスプレイパネルでは、図２に示すようにパネルの片側のみに駆動回路をつける。図２において、６は横リブ、７は縦リブ、８は表示バス電極、９はスキャンバス電極、１０はサステイン回路、１１は、電力回収回路、１２はスキャン回路を示す。
【００１４】
電流供給は従来どおり、ある瞬間では表示バス電極８からスキャンバス電極９に流し、次の瞬間ではスキャンバス電極９から表示バス電極８に交互に流すことに変わりは無い。しかしながら、表示バス電極８とスキャンバス電極９との電極間では、近接したバス電極同士反対方向にパルス電流が流れるわけで、バス電極を流れる電流によって生じる磁界は打消される作用が生じる。
【００１５】
前述の説明のように、図２に示された本発明の実施例１では、サステイン回路１０、電力回収回路１１、及びスキャン回路図１２を含む駆動回路がパネルの片側のみに接続されている点が従来の駆動回路の接続方法と異なる。これは、バス電極を逆方向に行き交うパルス状の放電電流で生じる磁界を打消すためになされたものである。バス電極間に接続されている電力回収回路１１は、電極間に存在する静電容量と配線インダクタンス（必要ならば回路上にインダクタンス素子をつける）で共振させ、無効電力化するもので、損失を低減する。電力回収回路１１が無い場合は、電極間容量の電力が回路で消費され、電力損失が増加する。図３に示した電力回収回路１１は、２つのバス電極、表示バス電極８とスキャンバス電極９との電極間に１つ挿入されたもので、他の挿入方法は、次の図４で示す。
【実施例２】
【００１６】
図３は、本発明の実施例２の駆動回路の構成を示す。図３において、６は横リブ、７は縦リブ、８は表示バス電極、９はスキャンバス電極、１０はサステイン回路、１１は、電力回収回路、１２はスキャン回路を示す。実施例２では、各サステイン回路１０毎に電力回収回路１１を接続した形態が示されている。作用は図２の場合と同じである。
【００１７】
本発明の実施例２では、従来の形態と比較した時に、電流の流れが２つのバス電極の間を往復するので、電極抵抗が最大で２倍となる。一方、放電セルが回路に近い場所と、回路から最も遠い場所にあるセルを比較した場合、電極抵抗の違いが問題となる欠点があるが、これを軽減するために、バス電極に棒状金属そのものを使いた形状のＰＤＰにすれば、大きな効果を発揮する。
【実施例３】
【００１８】
図４は本発明の実施例３のパネルと駆動回路の接続形態を示している。図４において、１０はサステイン回路、１１は電力回収回路、１２はスキャン回路、１３は、接続治具、
１４は電極接続部を示す。本発明の実施例３において、ＰＤＰ１００の電極接続部１４と駆動回路との接続部分には、ＦＰＣ（フレキシブルプリント基板）などを用いる。
【実施例４】
【００１９】
図５は、本発明の実施例４のパネルと駆動回路の接続形態を示している。図５において、１ｂは前面板、８は表示バス電極、９はスキャンバス電極、１５は表示電極接続シート、１６はスキャン電極接続シート、１７は表示電極接続パターン、１８はスキャン電極接続パターン、１９は駆動回路接続部を示している。本発明の実施例４では、パネルと駆動回路の接続部分においても磁化を打消すための工夫をしている。すなわち、表示電極接続シート１５上に表示電極接続パターン１７を形成し、スキャン電極接続シート１６上にスキャン電極接続パターン１８を形成し、表示電極接続パターン１７とスキャン電極接続パターン１８を重ねることにより、この部分に流れる電流の流れの向きを逆にして、磁界を打消しやすい配線としている。
【実施例５】
【００２０】
図６は本発明の実施例５を示している。図６は、図５のパネルと駆動回路の接続部分を脇から見た断面図であり、図５と同様に、１ｂは前面板、８は表示バス電極、９はスキャンバス電極、１５は表示電極接続シート、１６はスキャン電極接続シート、１７は表示電極接続パターン、１８はスキャン電極接続パターン、１９は駆動回路接続部を示している。
本発明の実施例５では、スキャン電極接続シート１６の上面に表示電極接続パターン１８が形成され、表示電極接続シート１５の下面に表示電極接続パターン１７が形成され、表示電極接続シート１５とスキャン電極接続シート１６とが重ねて配置されて、電流の向きが逆になる配線を極力近づけ、磁界の打消し効果を高められている。
【実施例６】
【００２１】
図７は本発明の実施例６を示している。図７において、１９は駆動回路接続部、２０は駆動回路部品、２１は回路配線、２２は回路基板を示している。図７は、駆動回路の形態を示したもので、回路配線２１が回路基板２２をはさんで近接配置されている。なお、図には基板内部に内装配線された実施例を示しているが、この基板内部の内装配線は必ずしも必要ではない。
【図面の簡単な説明】
【００２２】
【図１】本発明の実施例１のプラズマディスプレイパネルの構造を示す図である。
【図２】本発明の実施例１の駆動回路の配置を示す図である。
【図３】本発明の実施例２の駆動回路の構成を示す図である。
【図４】本発明の実施例３のパネルと駆動回路の接続形態を示す図である。
【図５】本発明の実施例４のパネルと駆動回路の接続形態を示す図である。
【図６】本発明の実施例５のパネルと駆動回路の接続部分の断面図である。
【図７】本発明の実施例６の駆動回路の形態を示した図である。
【図８】従来の一般的な交流（ＡＣ）型プラズマディスプレイパネル（ＰＤＰ）の構造図である。
【図９】従来のＰＤＰに対する駆動回路の接続形態を示す図である。
【符号の説明】
【００２３】
１ｂ    前面板
１ａ    背面板
２    誘電体
３    保護膜
４    アドレス電極
５    蛍光体
６    横リブ
７    縦リブ
８    表示バス電極
９    スキャンバス電極
９ａ    透明電極
１０    サステイン回路
１１    電力回収回路
１２    スキャン回路
１３    接続治具
１４    電極接続部
１５    表示電極接続シート
１６    スキャン電極接続シート
１７    表示電極接続パターン
１８    スキャン電極接続パターン
１９    駆動回路接続部
２０    駆動回路部品
２１    回路配線
２２    回路基板
１００    パネル
【図１】
2007264239.tif 000003
【図２】
2007264239.tif 000004
【図３】
2007264239.tif 000005
【図４】
2007264239.tif 000006
【図５】
2007264239.tif 000007
【図６】
2007264239.tif 000008
【図７】
2007264239.tif 000009
【図８】
2007264239.tif 000010
【図９】
2007264239.tif 000011